(57)【特許請求の範囲】
【請求項１】
トラクタの後部に装着するための装着部と、
前記トラクタの進行方向に直交し水平に延び軸回り方向に回転自在である回転軸と、
前記回転軸の両端部から前記トラクタの進行方向に平行に延びる側板と、
前記側板の間で前記回転軸から放射状に延びる複数の刈取刃と、
前記トラクタから入力された動力を伝達し前記回転軸をその軸回り方向に回転させる動力伝達部と、
前記トラクタの側面から見た前記刈取刃の回転軌跡の外周よりも下方かつ前記トラクタの進行方向前方側に先端が位置し、この先端よりも前記トラクタの進行方向後方側の部分が上になるよう傾斜する茎葉掬上部と、
前記茎葉掬上部から延び、前記側板よりも前記トラクタの進行方向前方側かつ前記トラクタの前方側から見て前記側板よりも内側に位置して上方にほぼ垂直に延びる誘導杆と、
を備える刈取装置。
【請求項２】
前記茎葉掬上部は、
車幅方向の内側に位置して前記トラクタの進行方向に平行で前記トラクタの進行方向後方側が上になるよう傾斜する第１のフレームと、
車幅方向の外側に位置して進行方向後方側に向かうにつれて前記トラクタの車幅方向外側に向かうように前記第１のフレームから延びる第２のフレームと、
前記第１のフレームと前記第２のフレームとの間を連結する扁平な誘導部材と、
を含む、請求項１記載の刈取装置。
【請求項３】
前記側板よりも前記トラクタの車幅方向外側で前記茎葉掬上部から延びる取付アームと、
前記側板の前記トラクタの車幅方向外側の面に設けられ前記取付アームが入り込むホルダと、
前記ホルダに入り込んだ前記取付アームを着脱自在にロックするロック機構と、
を更に備える、
請求項１又は２記載の刈取装置。
【請求項４】
前記取付アームの断面形状は、載置面に載置され前記刈取装置を前記載置面から離反させて保持するスタンドに備わり上方に延びて前記ホルダに入り込むスタンドアームの断面形状と同じである、請求項３記載の刈取装置。
【請求項５】
トラクタの後部に装着されて用いられ、前記トラクタの進行方向に直交し水平に延び軸回り方向に回転自在である回転軸と、前記回転軸の両端部から前記トラクタの進行方向に平行に延びる側板と、前記側板の間で前記回転軸から放射状に延びる複数の刈取刃とを備えて前記トラクタから入力された動力を伝達し前記回転軸をその軸回り方向に回転させる刈取装置に取り付けられる茎葉誘導器具であって、
前記トラクタの側面から見た前記刈取刃の回転軌跡の外周よりも下方かつ前記トラクタの進行方向前方側に先端が位置し、この先端よりも前記トラクタの進行方向後方側の部分が上になるよう傾斜する茎葉掬上部と、
前記茎葉掬上部から延び、前記側板よりも前記トラクタの進行方向前方側かつ前記トラクタの前方側から見て前記側板よりも内側に位置して上方にほぼ垂直に延びる誘導杆と、
を備える茎葉誘導器具。
【請求項６】
前記茎葉掬上部は、
車幅方向の内側に位置して前記トラクタの進行方向に平行で前記トラクタの進行方向後方側が上になるよう傾斜する第１のフレームと、
車幅方向の外側に位置して進行方向後方側に向かうにつれて前記トラクタの車幅方向外側に向かうように前記第１のフレームから延びる第２のフレームと、
前記第１のフレームと前記第２のフレームとの間を連結する扁平な誘導部材と、
を含む、請求項５記載の茎葉誘導器具。
【発明の詳細な説明】
【技術分野】
【０００１】
本発明は、畝（うね）から伸びた栽培植物の茎葉部を切断して刈り取る刈取装置及びこの刈取装置に取り付けられる茎葉誘導器具に関する。
【背景技術】
【０００２】
アスパラガス、ウド等の多年性の塊根植物は、根部から若芽が伸びる。この若芽は、食用素材として収穫されて販売され、サラダ等の食材に用いられる。塊根植物を栽培するに際して、収穫時期（例えば、春）に十分に若芽が育つよう若芽の収穫後に根部を成長させることが行われる。根部が成長すると、地上には茎葉部が繁茂する。茎葉部は、塊根植物が植えられる畝から上方に放射状に伸びたり、畝の側方に迫り出して畝の下方の地面に倒れこんだりする。ところが、茎葉部は、根部を成長させるための光合成に不可欠である一方、次の収穫時期に若芽を収穫するときには邪魔となる。そこで、収穫時期よりも前（例えば、秋から冬にかけての時期）に、成長した茎葉部を刈り取ることになる。この刈取作業には、畝から伸びた栽培植物の茎葉部を切断して刈り取る刈取装置（例えば、特許文献１に記載の農作業機１０）が用いられる。
【０００３】
特許文献１に記載の農作業機１０は、作業機本体１１と茎葉誘導体７１（デバイダー）とを備え、トラクタ１の後部に装着され、トラクタ１をバック走行（後退走行）することにより用いられる。茎葉誘導体７１は、作業機本体１１の後部（トラクタ１の進行方向前部）における左右いずれか片側又は両側にトラクタ１から離反させて進行方向（トラクタ１の後方）に突出するように着脱可能に取り付けられる。茎葉誘導体７１は、後端ほど下方に位置するように傾斜状に配設され、後端部である下端部は先細状に形成されている。茎葉誘導体７１は、作業機本体１１に対して高さ調節自在であり、高さ調節用操作体５０の回動操作により水平に対する傾斜角度も調整自在である。特許文献１には、茎葉誘導体７１は、圃場Ｈの畝Ｈ１上の茎葉部Ａ１を誘導して作業機本体１１の切断回転部３０の進行方向前方領域Ｅ内に位置付け、切断回転部３０の切断刃２３が茎葉部Ａ１を細かく切断する、ことが記載されている。
【先行技術文献】
【特許文献】
【０００４】
【特許文献１】特開２００５−０１３０４１号公報（段落００２１〜００２２、００３４〜００３８、００４２〜００４５、００５１〜００５２、図１〜図４）
【発明の概要】
【発明が解決しようとする課題】
【０００５】
特許文献１に記載の農作業機１０では、棒状の茎葉誘導体７１の一方の端部が圃場Ｈの畝Ｈ１の裾部近傍に位置付けられている。そして、茎葉誘導体７１は、畝Ｈ１の長さ方向に延び、作業機本体１１の前部（作業方向後方側、トラクタ１の前進方向）に向かうにつれて上昇するよう傾斜している。このため、茎葉誘導体７１は、茎葉部Ａ１を掬い上げるようにして茎葉誘導体７１の上面に茎葉部Ａ１を誘導する。
【０００６】
ところが、茎葉部Ａ１は、畝Ｈ１から垂れ下って延びている。このため、茎葉誘導体７１の先端が茎葉部Ａ１に接触することは殆どなく、茎葉誘導体７１の後部（トラクタ１の進行方向前部）寄りの部分でようやく茎葉部Ａ１に接触する。つまり、茎葉誘導体７１においてはじめて茎葉部Ａ１に接触する箇所よりも前方側（トラクタ１の後方側）の部分は、効果的に畝Ｈ１から延びる茎葉部Ａ１を誘導しない。
【０００７】
本発明は、上記の点を鑑みてなされたものであり、畝から延びる茎葉部を効率良く誘導して刈り取ることを目的とする。
【課題を解決するための手段】
【０００８】
本発明の刈取装置は、トラクタの後部に装着するための装着部と、前記トラクタの進行方向に直交し水平に延び軸回り方向に回転自在である回転軸と、前記回転軸の両端部から前記トラクタの進行方向に平行に延びる側板と、前記側板の間で前記回転軸から放射状に延びる複数の刈取刃と、前記トラクタから入力された動力を伝達し前記回転軸をその軸回り方向に回転させる動力伝達部と、前記トラクタの側面から見た前記刈取刃の回転軌跡の外周よりも下方かつ前記トラクタの進行方向前方側に先端が位置し、この先端よりも前記トラクタの進行方向後方側の部分が上になるよう傾斜する茎葉掬上部と、前記茎葉掬上部から延び、前記側板よりも前記トラクタの進行方向前方側かつ前記トラクタの前方側から見て前記側板よりも内側に位置して上方にほぼ垂直に延びる誘導杆と、を備える。
【０００９】
本発明の茎葉誘導器具は、トラクタの後部に装着されて用いられ、前記トラクタの進行方向に直交し水平に延び軸回り方向に回転自在である回転軸と、前記回転軸の両端部から前記トラクタの進行方向に平行に延びる側板と、前記側板の間で前記回転軸から放射状に延びる複数の刈取刃とを備えて前記トラクタから入力された動力を伝達し前記回転軸をその軸回り方向に回転させる刈取装置に取り付けられる茎葉誘導器具であって、前記トラクタの側面から見た前記刈取刃の回転軌跡の外周よりも下方かつ前記トラクタの進行方向前方側に先端が位置し、この先端よりも前記トラクタの進行方向後方側の部分が上になるよう傾斜する茎葉掬上部と、前記茎葉掬上部から延び、前記側板よりも前記トラクタの進行方向前方側かつ前記トラクタの前方側から見て前記側板よりも内側に位置して上方にほぼ垂直に延びる誘導杆と、を備える。
【発明の効果】
【００１０】
本発明によれば、誘導杆は上方にほぼ垂直に延びていて、地面を這う茎葉部にも畝から垂れ下がって延びる茎葉部にも接触するので、畝から延びる茎葉部を効率良く誘導して刈り取ることができる。
【図面の簡単な説明】
【００１１】
【図１】刈取装置の正面断面図である。
【図２】刈取装置の正面図である。
【図３】刈取装置の左側面図である。
【図４】刈取装置の左断面図である。
【図５】動力伝達部の斜視図である。
【図６】刈取装置の平面断面図である。
【図７】畝に対し進行方向の左側に位置する茎葉誘導器具の正面図である。
【図８】茎葉誘導器具の平面図である。
【図９】茎葉誘導器具の左側面図である。
【図１０】スタンドに保持された状態の刈取装置本体部の左側面図である。
【発明を実施するための形態】
【００１２】
実施の一形態を、図１ないし図１０に基づいて説明する。図１は、刈取装置１０１の正面断面図である。図２は、刈取装置１０１の正面図である。図３は、刈取装置１０１の左側面図である。図４は、刈取装置１０１の左断面図である。刈取装置１０１は、刈取装置本体部１０１ａと茎葉誘導器具１５１とを含む。
【００１３】
刈取装置１０１は、刈取装置本体部１０１ａを備える。そして、刈取装置１０１は、この刈取装置本体部１０１ａに備わる装着部としての装着フレーム１０２によりトラクタ５０１の後方に連結された状態で用いられる。刈取装置１０１がトラクタ５０１の後方に連結されると、刈取装置１０１の正面は、トラクタ５０１の進行方向前方側に向く。以下、トラクタ５０１の進行方向前方側を、単に「進行方向前方側」と呼ぶことがある。また、トラクタ５０１の進行方向後方側を、単に「進行方向後方側」と呼ぶことがある。図１及び図２では、紙面手前側が進行方向前方側となる。図３及び図４では、紙面左側が進行方向前方側となる。
【００１４】
トラクタ５０１は、地面３０１に形成され上方に突出する畝３０２を跨いで、この畝３０２に沿って走行する。トラクタ５０１が走行すると、刈取装置本体部１０１ａに備わる刈取刃１０３が回転し、刈取刃１０３が畝３０２から延びる栽培植物の茎葉部３０３を破砕して刈り取る。ここで、栽培植物は、一例として、アスパラガスやウド等の塊根植物である。このような塊根植物では、収穫が行われた後に畝３０２に残る根部３０４から茎葉部３０３が成長し、次の収穫時期までに茎葉部３０３が畝３０２を覆って地面３０１に倒れこんだり地面３０１まで這い出したりしている。そして、刈取装置１０１は、このような塊根植物を栽培するに際して次の収穫時期までに収穫部分の成長を促すために行われる、茎葉部３０３を刈り取る作業に用いられる。また、刈取装置１０１によって茎葉部を刈り取ることができる植物は、塊根植物以外にも、例えば、サツマイモのように地面に蔓状の茎葉部を伸ばす蔓性の植物を刈り取る際にも適用できる。
【００１５】
装着フレーム１０２は、トップリンクピン１０４、ロアリンクピン１０５，１０６及びパイプフレーム１０７を含む。トップリンクピン１０４及びロアリンクピン１０５，１０６は、刈取装置本体部１０１ａにおける進行方向前方側の端部に設けられ、トラクタ５０１の後方側の端部に備わる三点リンク機構５０２に連結される。パイプフレーム１０７は、トップリンクピン１０４やロアリンクピン１０５，１０６とベルトケース１０８（後述）とを連結する。
【００１６】
刈取装置本体部１０１ａは、ロータカバー１１０と、側板１１１と、回転軸としてのロータ軸１１２とを備える。ロータカバー１１０は、トラクタ５０１の車幅方向（以下、単に「車幅方向」と呼ぶ）に長い部材で、装着フレーム１０２よりも下方かつ進行方向後方側に位置し、刈取刃１０３やロータ軸１１２の上方を覆う。ロータカバー１１０は、後方フレーム１２６（後述）及びブラケット１３３を介してパイプフレーム１０７に連結される。ロータカバー１１０における進行方向前方側の端部からは、ゴム製のカーテン１１０ａが垂下している。側板１１１は、ロータカバー１１０の車幅方向の両端部に連結し、トラクタ５０１の進行方向に平行に延びている。ロータ軸１１２は、トラクタ５０１の進行方向に直交し水平に延びる円筒状の部材である。ロータ軸１１２は、その両端部を側板１１１に支持され、軸回り方向に回転自在となっている。前述の刈取刃１０３は、側板１１１の間でロータ軸１１２の外周面に取り付けられるブラケット１１３の先端部に取り付けられ、ロータ軸１１２から放射状に延びている。各刈取刃１０３は、いずれも、ブラケット１１３に対して揺動自在に連結している。ここで、ブラケット１１３は、ロータ軸１１２の外周面に設けられたブラケット取付孔１１４に対し着脱自在となっている。このため、刈取装置１０１の使用者は、ロータ軸１１２における所望の箇所にのみブラケット１１３を取り付けることができる。
【００１７】
図５は、動力伝達部１１５の斜視図である。刈取装置本体部１０１ａは、動力伝達部１１５を備える。動力伝達部１１５は、入力軸１１６と、第１のベベルギア１１７と、第２のベベルギア１１８と、第１のプーリ１１９と、動力伝達シャフト１２０と、第２のプーリ１２１と、ベルト１２２とを含む。第１のベベルギア１１７は、入力軸１１６に連結する。第２のベベルギア１１８は、第１のベベルギア１１７に噛み合った状態で、第１のベベルギア１１７とともにギアボックス１２３に収納される。動力伝達シャフト１２０は、第２のベベルギア１１８と第１のプーリ１１９とを連結する。また、動力伝達シャフト１２０は、パイプフレーム１０７に収納される。第２のプーリ１２１は、側板１１１よりも車幅方向外側でロータ軸１１２の端部に取り付けられている。ベルト１２２は、第１のプーリ１１９と第２のプーリ１２１とに掛け渡される。そして、第１のプーリ１１９と第２のプーリ１２１とベルト１２２とは、ベルトケース１０８（図１、図２及び図３参照）に収納されている。
【００１８】
入力軸１１６は、進行方向前方側に突出し、トラクタ５０１に備わるＰＴＯ軸（図示せず）に連結される。これにより、入力軸１１６には、トラクタ５０１からの駆動力が入力される。この駆動力は、第１のベベルギア１１７、第２のベベルギア１１８等を介して第２のプーリ１２１に伝わり、ロータ軸１１２をその軸回り方向に回転させる。
【００１９】
図１から図４に基づく説明に戻る。パイプフレーム１０７からは、上方フレーム１２５が上方に突出する。また、パイプフレーム１０７からは、後方フレーム１２６が進行方向後方側に突出する。上方フレーム１２５の先端部と後方フレーム１２６の先端部とは、伸縮自在の調整ロッド１２７によって連結されている。調整ロッド１２７は、ハンドル１２８が回されることにより伸縮する。また、後方フレーム１２６は、途中にリンク部１２９が設けられていて、屈曲自在となっている。この後方フレーム１２６の先端には、車幅方向に延びるゲージ輪第１アーム１３０が取り付けられる。ゲージ輪第１アーム１３０の両端部のそれぞれには、車幅方向に対称となる箇所に、上下方向に延びるゲージ輪第２アーム１３１が取り付けられる。ゲージ輪第２アーム１３１の下端部には、ゲージ輪１３２が取り付けられる。ゲージ輪１３２は、刈取装置１０１がトラクタ５０１に牽引されて動くときに地面３０１に接する。そして、ハンドル１２８を操作して調整ロッド１２７を伸縮することによってゲージ輪１３２の上下高さが変わり、刈取装置１０１の刈り高さが調整される。
【００２０】
図６は、刈取装置１０１の平面断面図である。図６では、紙面左側が進行方向前方側となる。図４及び図６を参照する。刈取装置本体部１０１ａには、茎葉誘導器具１５１が取り付けられる。茎葉誘導器具１５１は、刈取装置１０１に取り付けられることでこの刈取装置１０１の前方側に位置し、車幅方向の両端部で側板１１１の近傍に左右対称に配置され、側板１１１に着脱自在に取り付けられる。
【００２１】
茎葉誘導器具１５１は、略三角形形状の茎葉掬上部１５１ａを有する。茎葉掬上部１５１ａのうち進行方向後方側を向き鋭角を形成する部分を、先端部１５２と呼ぶ。茎葉掬上部１５１ａのうち進行方向後方側を向き鋭角を形成する部分を、後端部１５３と呼ぶ。茎葉掬上部１５１ａのうち、先端部１５２及び後端部１５３のいずれでもなく残りの一角を形成する部分を、外側端部１５４と呼ぶ。先端部１５２及び後端部１５３は、いずれも、側板１１１よりも車幅方向の内側に位置する。外側端部１５４は、側板１１１よりも車幅方向の外側に位置する。
【００２２】
茎葉掬上部１５１ａは、先端部１５２よりも後端部１５３が上になるよう傾斜している。そして、先端部１５２は、トラクタ５０１（図３参照）の側面から見た刈取刃１０３の回転軌跡１０３ａの外周よりも下方で、トラクタ５０１の進行方向前方側に位置する。また、後端部１５３は、トラクタ５０１の側面から見た刈取刃１０３の回転軌跡１０３ａの内側に入り込んでいる。
【００２３】
図７は、畝３０２に対し進行方向の左側に位置する茎葉誘導器具１５１の正面図である。図８は、畝３０２に対し進行方向の左側に位置する茎葉誘導器具１５１の平面図である。図９は、畝３０２に対し進行方向の左側に位置する茎葉誘導器具１５１の左側面図である。図７ないし図９を参照し、茎葉誘導器具１５１の詳細について述べる。なお、畝３０２に対し進行方向の右側に位置する茎葉誘導器具１５１は、図７ないし図９に示す茎葉誘導器具１５１と左右対称である。茎葉誘導器具１５１を構成する茎葉掬上部１５１ａは、第１のフレーム１５６と、第２のフレーム１５７と、誘導部材１５８と、第３のフレーム１５９とを含む。
【００２４】
第１のフレーム１５６は、第２のフレーム１５７よりも車幅方向の内側に位置し、トラクタ５０１（図３参照）の進行方向に平行に延びる。第１のフレーム１５６は、トラクタ５０１の進行方向後方側が上になるよう傾斜する。第１のフレーム１５６における進行方向前方側の端部は、先細りしている。
【００２５】
第２のフレーム１５７は、第１のフレーム１５６よりも車幅方向の外側に位置する。第２のフレーム１５７の一方の端部は、第１のフレーム１５６の側面に取り付けられ、第１のフレーム１５６から枝分かれするように、進行方向後方側に向かうにつれて車幅方向外側に向かうように延びる。第１のフレーム１５６と第２のフレーム１５７との連結部分は、先端部１５２を形成している。第２のフレーム１５７は、トラクタ５０１の進行方向後方側が上になるよう、第１のフレーム１５６よりも急な傾斜度で傾斜する。
【００２６】
誘導部材１５８は、扁平な板状の部材である。誘導部材１５８は、第１のフレーム１５６と第２のフレーム１５７との間を連結する。これにより、誘導部材１５８は、トラクタ５０１の進行方向後方側が上になるよう、かつ、車幅方向外側が上になるよう傾斜する。
【００２７】
第３のフレーム１５９は、誘導部材１５８における進行方向後方側の一辺に沿って設けられ、水平に延びる。第３のフレーム１５９の両端は、第１のフレーム１５６の側面と第２のフレーム１５７の側面とにそれぞれ連結する。第３のフレーム１５９と第１のフレーム１５６との連結部分は、後端部１５３を形成している。また、第３のフレーム１５９と第２のフレーム１５７との連結部分は、外側端部１５４を形成している。
【００２８】
茎葉掬上部１５１ａからは、誘導杆１６０が延びる。誘導杆１６０は、円柱形状の金属製のパイプである。誘導杆１６０の下方部分は略直角方向に湾曲し、ブラケット１９１を介して第２のフレーム１５７の下面に取り付けられる。誘導杆１６０の上方部分は、直線状をなして略鉛直方向に延び、第２のフレーム１５７の外側側面に接し、先端部１５２と外側端部１５４との間に位置する。
【００２９】
茎葉掬上部１５１ａの外側端部１５４からは、取付アーム１６１が延びる。取付アーム１６１は、角柱形状の金属製のパイプであり、側板１１１よりも車幅方向外側に位置して誘導部材１５８と交差する方向に延びる。取付アーム１６１には、刈取装置１０１の進行方向に貫通するピン装着孔１６２が複数設けられる。ピン装着孔１６２は、取付アーム１６１の長さ方向に並ぶ。そして、所望のピン装着孔１６２を選択してそこに第１のピン１６６及び第２のピン１６７（いずれも、図２及び図３に基づいて後述）を取り付けることで茎葉誘導器具１５１の高さを調節することができる。
【００３０】
再び、図２及び図３を参照する。ところで、側板１１１のそれぞれにおいて、車幅方向外側の面には、ホルダ１６３が設けられる。ホルダ１６３は、断面視コ字形の長尺部材である。ホルダ１６３は、略鉛直方向に延びこのコ字形状開口側を車幅方向外側に向けた状態で側板１１１に取り付けられる。ホルダ１６３の上方には、車幅方向外側から切り込まれたように延びるピン受部１６４が形成される。ホルダ１６３においてピン受部１６４よりも下方には、トラクタ５０１の進行方向に貫通する貫通孔１６５が設けられる。
【００３１】
茎葉誘導器具１５１は、ホルダ１６３に対して以下のように取り付けられる。まず、複数のピン装着孔１６２のうち上方の一のピン装着孔１６２に第１のピン１６６を挿通し、この第１のピン１６６をピン受部１６４に引っ掛ける。続いて、茎葉誘導器具１５１に備わる取付アーム１６１を、ホルダ１６３のコ字形状開口側に嵌め込む。続いて、貫通孔１６５と、第１のピン１６６が挿通されたピン装着孔１６２よりも下方の一のピン装着孔１６２とを位置合わせし、これらに対して第２のピン１６７を挿通する。第１のピン１６６と第２のピン１６７とによって、ホルダ１６３に入り込んだ取付アーム１６１はロックされる。このとき、誘導杆１６０は、トラクタ５０１の前方側から見て側板１１１よりも内側に位置付けられる。また、第１のピン１６６及び第２のピン１６７を取り外すことによって、取付アーム１６１とホルダ１６３とのロックは解除される。ここに、取付アーム１６１のピン装着孔１６２、ホルダ１６３のピン受部１６４及び貫通孔１６５、第１のピン１６６並びに第２のピン１６７は、ロック機構１６８を構成する。
【００３２】
図２、図３、図４及び図６を参照する。刈取装置１０１を用いて畝３０２から伸びる茎葉部３０３を刈り取る場合、作業者は、まず、トップリンクピン１０４、ロアリンクピン１０５，１０６を介してトラクタ５０１の後部に刈取装置本体部１０１ａを取り付ける。続いて、作業者は、上記のようにして茎葉誘導器具１５１を刈取装置本体部１０１ａに取り付けてロックする。続いて、作業者はトラクタ５０１を操作して、ゲージ輪１３２が畝３０２を跨ぐ位置にトラクタ５０１を位置づける。これにより、茎葉誘導器具１５１の第１のフレーム１５６は、畝３０２の斜面近傍に位置付けられる。
【００３３】
この状態でトラクタ５０１が畝３０２に沿ってトラクタ５０１を走行すると、茎葉誘導器具１５１の先端部１５２が、地面３０１の近くに這うように延びている茎葉部３０３を掬い上げる。このとき、誘導杆１６０は、畝３０２から垂れ下がって延び地面３０１から離れている茎葉部３０３に接触する。ここで、茎葉部３０３は畝３０２に固定されているため、進行方向前方側に誘導杆１６０が進むことにより茎葉部３０３は誘導杆１６０に引っ張られつつ摺動して内側に移動し、側板１１１よりも車幅方向内側で茎葉掬上部１５１ａの上方に導かれる。そして、トラクタ５０１がさらに走行すると、茎葉掬上部１５１ａの傾きによって、茎葉部３０３は車幅方向のさらに内側に動く。
【００３４】
トラクタ５０１が走行すると、トラクタ５０１の駆動力の一部が、入力軸１１６から入力され動力伝達部１１５を介してロータ軸１１２に伝わり、ロータ軸１１２をその軸回り方向に回転させる。これにより、刈取刃１０３が回転し、茎葉誘導器具１５１によって誘導された茎葉部３０３を刈り取る。茎葉部３０３は、地面３０１から刈り取られ、回転軌跡１０３ａ内に巻き込まれ、図４に示す誘導経路１６９に沿って移動する。茎葉部３０３は、誘導経路１６９に沿って移動する間に粉砕され、ロータ軸１１２よりも進行方向後方側で刈取刃１０３とロータカバー１１０との間から地面３０１に落下する。
【００３５】
このように、刈取装置１０１によれば、誘導杆１６０が、地面３０１を這う茎葉部３０３にも畝３０２から垂れ下がって延びる茎葉部３０３にも接触し、畝３０２から延びる茎葉部３０３が効率良く刈り取られる。そして、刈取装置１０１では、茎葉誘導器具１５１が誘導部材１５８を有していて面的に広がっており、この誘導部材１５８が車幅方向内側に傾いているので、より多くの茎葉部３０３が刈取刃１０３に確実に導かれる。さらに、ロック機構１６８によって、刈取装置本体部１０１ａに対する茎葉誘導器具１５１の着脱は容易になっている。
【００３６】
図１０は、スタンド２０１に保持された状態の刈取装置本体部１０１ａの左側面図である。本実施の形態では、スタンド２０１が刈取装置本体部１０１ａを保持できる。ここで、スタンド２０１は、載置面４０１に載置された状態で使用されるものであり、載置面４０１に沿う基部２０２と、基部２０２に取り付けられるキャスタ２０３と、基部２０２から上方に延び、鉛直方向に対して傾斜するスタンドアーム２０４とを有する。なお、載置面４０１の一例は、地面３０１である。また、載置面４０１の別の一例は、倉庫の床面（図示せず）である。
【００３７】
茎葉誘導器具１５１に備わる取付アーム１６１の断面形状は、スタンドアーム２０４の断面形状と同じである。そして、スタンドアーム２０４はピン装着孔２０５を有している。このため、一のピン装着孔２０５に第１のピン１６６を挿通してこの第１のピン１６６をピン受部１６４に引掛け、スタンドアーム２０４を茎葉誘導器具１５１のホルダ１６３に嵌め込んで別のピン装着孔２０５とホルダ１６３の貫通孔１６５とを位置合わせし第２のピン１６７を挿通することで、刈取装置本体部１０１ａは、スタンド２０１に載置面４０１から離反した状態で保持される。このように、本実施の刈取装置１０１では、ホルダ１６３は、刈取装置本体部１０１ａに茎葉誘導器具１５１を取り付けるためにも、スタンド２０１に保持させるためにも用いられる。
【符号の説明】
【００３８】
１０１    刈取装置
１０１ａ  刈取装置本体部
１０２    装着フレーム
１０３    刈取刃
１０３ａ  刈取刃の回転軌跡
１１１    側板
１１２    ロータ軸（回転軸）
１１５    動力伝達部
１５１    茎葉誘導器具
１５１ａ  茎葉掬上部
１５６    第１のフレーム
１５７    第２のフレーム
１５８    誘導部材
１６０    誘導杆
１６１    取付アーム
１６３    ホルダ
１６８    ロック機構
２０１    スタンド
２０４    スタンドアーム
３０３    茎葉部
５０１    トラクタ
【図１】
0005466988.tif 000002
【図２】
0005466988.tif 000003
【図３】
0005466988.tif 000004
【図４】
0005466988.tif 000005
【図５】
0005466988.tif 000006
【図６】
0005466988.tif 000007
【図７】
0005466988.tif 000008
【図８】
0005466988.tif 000009
【図９】
0005466988.tif 000010
【図１０】
0005466988.tif 000011